(57)【要約】【課題】  トルクレンチのトルク設定に誤りが生じてもナットの締めすぎが回避されるアンカーボルトおよびそれを用いた基礎の施工方法を提供する。【解決手段】  本発明のアンカーボルト１０は、過剰締付防止部材２０に付着部材３０を係合してなるもので、過剰締付防止部材２０が、雄ねじ体２２と、雄ねじ体２２下端に一体的に鍔状に形成された過剰締付防止プレート２４と、過剰締付防止プレート２４下端に一体的に形成された付着部材係合部２６とを有し、付着部材３０が上端部に係合部３２と、その下部に付着部３４とを有してなるものとされる。【選択図】  図１
2005264471.tif 000002
【特許請求の範囲】
【請求項１】
過剰締付防止部材と、該過剰締付防止部材に係合される付着部材とからなることを特徴とするアンカーボルト。
【請求項２】
付着部材の先端部が過剰締付防止部材から突出可能に係合されて、前記過剰締付防止部材のレベルが調整可能とされてなることを特徴とする請求項１記載のアンカーボルト。
【請求項３】
過剰締付防止部材が、雄ねじ体と、該雄ねじ体の下端に一体的に鍔状に形成された過剰締付防止プレートと、該過剰締付防止プレートの下端に一体的に形成された雌ねじ体とされた付着部材係合部とを有し、
付着部材が上端部に前記雌ねじ体と螺合する雄ねじと、付着部とを有してなる
ことを特徴とする請求項１記載のアンカーボルト。
【請求項４】
過剰締付防止部材が、鍔状に形成された過剰締付防止プレートと、該過剰締付防止プレートの下端に一体的に形成された雌ねじ体とされた付着部材係合部とを有し、
付着部材が上端部に前記雌ねじ体と螺合する雄ねじと、付着部とを有してなる
ことを特徴とする請求項２記載のアンカーボルト。
【請求項５】
付着部材係合部の表面が付着力が小さくなるように表面が滑らかとされ、
付着部材の付着部が異形鉄筋とされてなることを特徴とする請求項３または４記載のアンカーボルト。
【請求項６】
付着部材の先端部が過剰締付防止部材から突出可能に係合されて、前記過剰締付防止部材のレベルが調整可能とされてなるアンカーボルトを用いた基礎の施工方法であって、
基礎型枠の上端に配設されたアンカー定規に前記過剰締付防止部材を当接させてアンカーボルトを前記基礎型枠内にセットする手順と、
前記型枠内に所定レベルまでコンクリートを打設する手順と、
前記過剰締付防止部材を基礎天端位置まで降下させて位置決めする手順
とを含んでいることを特徴とする基礎の施工方法。
【発明の詳細な説明】
【技術分野】
【０００１】
本発明はアンカーボルトおよびそれを用いた基礎の施工方法に関する。さらに詳しくは、コンクリート基礎におけるナットの締めすぎによるひび割れが防止されるアンカーボルトおよびそれを用いた基礎の施工方法に関する。
【背景技術】
【０００２】
従来より、図１６に示すように、コンクリート基礎Ｃに異形鉄筋の上端部に雄ねじ１０２が形成されたアンカーボルト１０１を雄ねじ１０２を突出させて埋設し、このアンカーボルト１０１の突出部に土台Ｂ底面にアンカーボルト１０１に対応させて設けられたアンカーボルト挿通孔(明瞭には図示されていない)にアンカーボルト１０１を挿通し、ついで雄ねじ１０２にナット１０３を螺着して締め付け土台Ｂを基礎Ｃに固定することがなされている。
【０００３】
このナット１０３の締め付けは、トルクレンチによりトルクＴを管理しながら、所定トルクとなるようにしてなされている(図１７参照)。
【０００４】
しかしながら、トルクレンチの設定トルクの誤りなどにより、ナット１０３の締めすぎが発生する場合がある。このナット１０３の締めすぎが発生すると、基礎Ｃに埋設されているアンカーボルト１０１の軸部に過剰な引抜力Ｆが発生し(図１８参照)、この過剰な引抜力Ｆにより基礎Ｃのコンクリートにひび割れＶが発生することがある(図１９参照)。
【０００５】
このように、ひび割れＶが基礎Ｃに発生すると、基礎Ｃの強度低下を招来するという問題がある。
【特許文献１】特開２００３−１０５８６７号公報
【発明の開示】
【発明が解決しようとする課題】
【０００６】
本発明はかかる従来技術の課題に鑑みさなれたものであって、トルクレンチのトルク設定に誤りが生じてもナットの締めすぎが回避されるアンカーボルトおよびそれを用いた基礎の施工方法を提供することを目的としている。
【課題を解決するための手段】
【０００７】
本発明のアンカーボルトは、過剰締付防止部材と、該過剰締付防止部材に係合される付着部材とからなることを特徴とする。
【０００８】
本発明のアンカーボルトにおいては、付着部材の先端部が過剰締付防止部材から突出可能に係合されて、前記過剰締付防止部材のレベルが調整可能とされてなるのが好ましい。
【０００９】
本発明のアンカーボルトの第１形態は、過剰締付防止部材が、雄ねじ体と、該雄ねじ体の下端に一体的に鍔状に形成された過剰締付防止プレートと、該過剰締付防止プレートの下端に一体的に形成された雌ねじ体とされた付着部材係合部とを有し、付着部材が上端部に前記雌ねじ体と螺合する雄ねじと、付着部とを有してなるものとされる。
【００１０】
本発明のアンカーボルトの第２形態は、過剰締付防止部材が、鍔状に形成された過剰締付防止プレートと、該過剰締付防止プレートの下端に一体的に形成された雌ねじ体とされた付着部材係合部とを有し、付着部材が上端部に前記雌ねじ体と螺合する雄ねじと、付着部とを有してなるものとされる。
【００１１】
本発明のアンカーボルトにおいては、付着部材係合部の表面が付着力が小さくなるように表面が滑らかとされ、付着部材の付着部が異形鉄筋とされてなるのが好ましい。
【００１２】
本発明の基礎の施工方法は、付着部材の先端部が過剰締付防止部材から突出可能に係合されて、前記過剰締付防止部材のレベルが調整可能とされてなるアンカーボルトを用いた基礎の施工方法であって、基礎型枠のアンカー定規に過剰締付防止部材を当接させてアンカーボルトを基礎型枠内にセットする手順と、  前記型枠内に所定レベルまでコンクリートを打設する手順と、前記過剰締付防止部材を基礎天端位置まで降下させて位置決めする手順とを含んでいることを特徴とする。
【発明の効果】
【００１３】
本発明のアンカーボルトによれば、ナットに過剰の締付トルクが作用しても、それによる引抜力は過剰締付防止部材により遮断されて付着部材には伝達されないので、ナットの締めすぎによるコンクリートのひび割れが基礎に生ずることはないという優れた効果が得られる。
【００１４】
一方、本発明の基礎の施工方法によれば、過剰締付防止部材のレベル調整がなし得るので、施工の自由度が大きいという優れた効果が得られる。
【発明を実施するための最良の形態】
【００１５】
以下、添付図面を参照しながら本発明を実施形態に基づいて説明するが、本発明はかかる実施形態のみに限定されるものではない。
【００１６】
実施形態１
本発明の実施形態１に係るアンカーボルトを図１および図２に示す。
【００１７】
アンカーボルト１０は、図１および図２に示すように、過剰締付防止部材２０と、付着部材３０とを主要構成要素としてなる。
【００１８】
過剰締付防止部材２０は、図３に示すように、所定長さの雄ねじ体２２と、雄ねじ体２２下端に一体的に鍔状に形成された円板状の過剰締付防止プレート２４と、過剰締付防止プレート２４裏面に前記雄ねじと体２２と軸心を一致させて一体的に形成された雌ねじ体とされた付着部材係合部２６とからなる。
【００１９】
付着部材係合部２６は、例えば、コンクリート基礎との付着力を小さくするために表面が滑らかにされた六角ナット(高ナット)とされる。
【００２０】
付着部材３０は、図２に示すように、上端部に所定長さに形成された前記付着部材係合部（雌ねじ体）２６と螺合する雄ねじが形成された係合部３２と、係合部３２の下端から一体的に形成された異形鉄筋とされた付着部３４とからなるものとされる。
【００２１】
次に、図４〜図６を参照しながら、かかる構成とされたアンカーボルト１０による土台の固定について説明する。なお、図中、符号４０はナットを示し、符号Ｂは土台を示し、符号Ｃは基礎を示す。
【００２２】
手順１：アンカーボルト１０を過剰締付防止プレート２４表面がコンクリート基礎Ｃ天端と面一となるようにして埋設する。
【００２３】
手順２：土台Ｂ裏面のアンカーボルト挿通孔ＢＨにアンカーボルト１０を挿通させて土台Ｂをコンクリート基礎Ｃに載置する。
【００２４】
手順３：雄ねじにナット４０を螺着して締め付ける(図４参照)。
【００２５】
この場合、トルク設定に誤りが生じて過剰なトルクＴがナット４０に付与されても、図５に示すように、この過剰なトルクＴによる引抜力Ｆは、過剰締付防止プレート２４が土台Ｂ底面と接触することにより遮断されて付着部材３０には伝達されない。また、アンカーボルト１０に発生する付着力Ｓは、付着部係合部２６の表面が滑らかにされる一方、付着部３４が異形鉄筋とされているので、図６に示すように、コンクリート基礎Ｃ天端付近では小さくなる。そのため、過剰なトルクＴがナット４０に付与されてもコンクリート基礎Ｃ天端付にひび割れが生ずることはない。
【００２６】
このように、この実施形態１によれば、ナット４０に過剰なトルクＴが付与されても、それによる引抜力Ｆが付着部材３０に作用しないので、トルク管理は下限値のみなせばよいため、施工が簡素化および迅速化される。また、アンカーボルト１０に発生する付着力Ｓはコンクリート基礎Ｃ天端付近では小さいため、施工後において地震などによりアンカーボルト１０に引抜力Ｆが発生しても、コンクリート基礎Ｃ天端付近にひび割れが生ずるおそれは少ない。
【００２７】
実施形態２
本発明の実施形態２に係るアンカーボルトを図７および図８に示す。
【００２８】
アンカーボルト５０は、図７および図８に示すように、過剰締付防止部材６０と、付着部材７０とを主要構成要素としてなる。
【００２９】
過剰締付防止部材６０は、図９に示すように、ドーナツ状の過剰締付防止プレート６２と、過剰締付防止プレート６２裏面に同プレート６２の中心に軸心を一致させて一体的に形成された雌ねじ体とされた付着部材係合部６４とからなる。この実施形態２においても、過剰締付防止プレート６２は鍔状に形成されている。
【００３０】
付着部材係合部６４は、例えば、コンクリート基礎Ｃとの付着力Ｓを小さくするために表面が滑らかにされた六角ナット(高ナット)とされる。
【００３１】
付着部材７０は、図８に示すように、上端部に所定長さに形成された前記雌ねじ体の係合部６４と螺合する雄ねじが形成された係合部７２と、係合部７２の下端から一体的に形成された異形鉄筋とされた付着部７４とからなるものとされる。過剰締付防止プレート６２の内径ｄは係合部７２の先端部７２ａがプレート６２表面から突出できるようにされている。
【００３２】
次に、図１０〜図１４を参照しながら、かかる構成とされたアンカーボルト５０による土台の固定について説明する。
【００３３】
手順１：付着部材７０の係合部７２の適宜位置、例えば付着部材７０の基礎Ｃ天端からの突出量が所定量となる位置に、過剰締付防止部材６０の過剰締付防止プレート６２を螺着し、基礎型枠ＣＦ上端にセットされているアンカー定規Ｌに係合部７２の先端部７２ａを挿通してアンカー定規Ｌ底面に過剰締付防止プレート６２当接させる。ついで、アンカー定規Ｌ表面から突出している先端部７２ａに固定用ナットＮを螺着して締め付けアンカーボルト５０を基礎型枠ＣＦ内にセットし、しかる後にコンクリートＭを打設する(図１０参照)。
【００３４】
手順２：過剰締付防止材６０を降下させて過剰締付防止プレート６２表面を基礎Ｃ天端位置に位置決めする。つまり、過剰締付防止プレート６２のレベル出しをする(図１１参照)。
【００３５】
手順３：過剰締付防止プレート６２表面までモルタルなどのレベラーＭＬを流し込む(図１２参照)。これにより、図１３に示すように、過剰締付防止部材６０の付着部材係合部（雌ねじ体）６４近傍に圧密効果が発現されてコンクリートＭが緻密になる。なお、図１３中の矢符は圧密効果の発現状況を示す。
【００３６】
手順４：所定の養生期間経過後にアンカー定規Ｌおよび型枠ＣＦを撤去する(図１４参照)。
【００３７】
手順５：土台Ｂをアンカーボルト５０およびナット４０により固定する(図１５参照)。
【００３８】
このように、この実施形態２によれば、実施形態１と同様にナット４０の締めすぎによるコンクリート基礎Ｃのひび割れが防止される。また、コンクリート打設後に過剰締付防止プレート６２のレベル調整がなし得るので、作業性がよいという実施形態１では得られない効果も得られる。
【産業上の利用可能性】
【００３９】
本発明は、アンカーボルトを用いて固定をなす各種構造物に適用できる。
【図面の簡単な説明】
【００４０】
【図１】本発明の実施形態１に係るアンカーボルトの正面図である。
【図２】同アンカーボルトの分解図である。
【図３】過剰締付防止部材の２面図であって、同(ａ)は正面図を示し、同（ｂ）は底面図を示す。
【図４】同アンカーボルトにより土台を基礎に固定した状態の一部断面図である。
【図５】同アンカーボルトの機能説明図である。
【図６】同アンカーボルトの付着力の分布図である。
【図７】本発明の実施形態２に係るアンカーボルトの正面図である。
【図８】同アンカーボルトの分解図である。
【図９】過剰締付防止部材の３面図であって、同(ａ)は平面図を示し、同（ｂ）は正面図を示し、同(ｃ)は底面図を示す。
【図１０】本発明の実施形態２の施工手順の説明図であって、型枠にコンクリートを打設した状態を示す。
【図１１】同説明図であって、過剰締付防止部材を基礎天端にレベル調整した状態を示す。
【図１２】同説明図であって、型枠にレベラ−を流し込んだ状態を示す。
【図１３】同説明図であって、過剰締付防止部材により圧密効果が発現されている状態を示す。
【図１４】同説明図であって、型枠を撤去した状態を示す。
【図１５】同説明図であって、アンカーボルトにより土台を固定した状態を示す。
【図１６】従来のアンカーボルトにより土台を固定した状態の断面図である。
【図１７】ナットを締めている状態の説明図である。
【図１８】ナットの締めすぎによりアンカーボルトに引抜力が発生している状態の説明図である。
【図１９】ナットの締めすぎによりコンクリート基礎にひび割れが発生した状態を示す模式図である。
【符号の説明】
【００４１】
１０      アンカーボルト
２０      過剰締付防止部材
２２      雄ねじ体
２４      過剰締付防止プレート
２６      付着部材係合部、高ナット
３０      付着部材
３２      係合部
３４      付着部
４０      ナット
５０      アンカーボルト
６０      過剰締付防止部材
７０      付着部材
７２      係合部
７４      付着部
Ｂ      土台
Ｃ      基礎、コンクリート基礎
Ｆ      引抜力
Ｓ      付着力
Ｔ      トルク
【図１】
2005264471.tif 000003
【図２】
2005264471.tif 000004
【図３】
2005264471.tif 000005
【図４】
2005264471.tif 000006
【図５】
2005264471.tif 000007
【図６】
2005264471.tif 000008
【図７】
2005264471.tif 000009
【図８】
2005264471.tif 000010
【図９】
2005264471.tif 000011
【図１０】
2005264471.tif 000012
【図１１】
2005264471.tif 000013
【図１２】
2005264471.tif 000014
【図１３】
2005264471.tif 000015
【図１４】
2005264471.tif 000016
【図１５】
2005264471.tif 000017
【図１６】
2005264471.tif 000018
【図１７】
2005264471.tif 000019
【図１８】
2005264471.tif 000020
【図１９】
2005264471.tif 000021